(57)【要約】【課題】本発明は、テンプルを安定して回動させるための強度を備えるとともに良好な操作性及び装着感を得ることができる眼鏡用蝶番を提供することを目的とする。【解決手段】眼鏡用蝶番３は、レンズを保持するレンズ保持部材２に設けられた取付部材２０にテンプル４を回動可能に取り付けており、テンプル４とともに回動する回動部材３０を備えている。回動部材３０は、テンプル４の回動軸に回動可能に取り付けられる軸部と、テンプル４に固定される取付部と、弾性変形可能で渦巻き状に形成されるとともに中心側の端部に軸部が接続され外周側の端部に取付部が接続されている連結部とを備えている。【選択図】図１
2014092639.tif 000002
【特許請求の範囲】
【請求項１】
レンズを保持するレンズ保持部材に設けられた取付部材にテンプルを回動可能に取り付ける眼鏡用蝶番において、前記テンプルとともに回動する回動部材を備え、前記回動部材は、前記テンプルの回動軸に回動可能に取り付けられる軸部と、前記テンプルに固定される取付部と、弾性変形可能で渦巻き状に形成されるとともに中心側の端部に前記軸部が接続され外周側の端部に前記取付部が接続されている連結部とを備えている眼鏡用蝶番。
【請求項２】
前記軸部には、前記取付部とは反対側に係止部が設けられており、前記取付部材に設けられた係合部に前記係止部が係合して前記軸部の回動が停止するように設定されている請求項１に記載の眼鏡用蝶番。
【請求項３】
前記連結部は、前記軸部の軸中心からの径の長さが異なる複数の円弧部及び当該円弧部の接続箇所に形成された段差部を有しており、前記段差部が前記取付部に当接することで前記連結部の弾性変形に伴う前記テンプルの回動が停止するように設定されている請求項１又は２に記載の眼鏡用蝶番。
【請求項４】
請求項１から３のいずれかに記載の眼鏡用蝶番を備えている眼鏡フレーム。
【発明の詳細な説明】
【技術分野】
【０００１】
本発明は、レンズ保持部材及びテンプルを備えた眼鏡フレームの蝶番に関する。
【背景技術】
【０００２】
眼鏡フレームは、レンズの全体又は一部を保持するレンズ枠体やツーポイントタイプのように枠無で保持する連結体のようなレンズ保持部材に蝶番を介してテンプルを回動可能に取り付けて、テンプルが折り畳めるように構成されている。
【０００３】
このように、眼鏡フレームでは蝶番が唯一の可動部分となっているため、蝶番の機能が装着時の操作性や装着感の良否に大きな影響を与える。蝶番には、従来よりネジを用いた蝶番が用いられているが、ネジを用いた蝶番では動きが硬く可動範囲が予め決められてしまうため、着用者のそれぞれの操作性や装着感に十分対応することが難しい。そのため、蝶番にバネ等の弾性部材を用いて操作性や装着感を改善することが提案されている。
【０００４】
例えば、特許文献１では、丁番部にねじりばねを用いた眼鏡枠であって、ねじりばねに対して丁番部の開閉方向以外の方向への振れを規制する振れ規制手段を備えた眼鏡枠が記載されている。また、特許文献２では、眼鏡のフロントとテンプルを接続する眼鏡部品において、弾性変形可能な金属の細線材を用いた螺旋形状を有し、一端がフロント側に連絡し、他端がテンプル側に連絡するバネ性部材からなる眼鏡部品が記載されている。また、特許文献３では、フロントフレームの両サイドに設けるヨロイにコイルバネを形成してバネ変形可能とし、ツルに作用する力にてヨロイが変形して押し開かれるようにしたメガネフレームが記載されている。
【先行技術文献】
【特許文献】
【０００５】
【特許文献１】実開平５−５０４２２号公報
【特許文献２】登録実用新案第３０３４５５８号公報
【特許文献３】登録実用新案第３０５８７８７号公報
【発明の概要】
【発明が解決しようとする課題】
【０００６】
上述した特許文献では、蝶番にコイルバネを用い、テンプルの回動軸に沿ってコイルバネが螺旋状に巻くように設定されている。こうした構造では、テンプルの回動軸は装着時に上下方向に設定されるためコイルバネが上下方向に配置されて露出された状態となる。そのため、コイルバネの間に埃等が溜まりやすくなり、また眼鏡フレームを側面から見た場合コイルバネが表出して外観デザイン上好ましくない。さらに、蝶番にコイルバネを用いる場合テンプルを支持して安定した回動を行うためには、それに対応する強度が必要になるため、コイルバネに太い線材を使用することになるが、太い線材では弾性力が大きくなって操作性や装着感の点で好ましくない。
【０００７】
そこで、本発明は、テンプルを安定して回動させるための強度を備えるとともに良好な操作性及び装着感を得ることができる眼鏡用蝶番を提供することを目的とする。
【課題を解決するための手段】
【０００８】
本発明に係る眼鏡用蝶番は、レンズを保持するレンズ保持部材に設けられた取付部材にテンプルを回動可能に取り付ける眼鏡用蝶番において、前記テンプルとともに回動する回動部材を備え、前記回動部材は、前記テンプルの回動軸に回動可能に取り付けられる軸部と、前記テンプルに固定される取付部と、弾性変形可能で渦巻き状に形成されるとともに中心側の端部に前記軸部が接続され外周側の端部に前記取付部が接続されている連結部とを備えている。さらに、前記軸部には、前記取付部とは反対側に係止部が設けられており、前記取付部材に設けられた係合部に前記係止部が係合して前記軸部の回動が停止するように設定されている。さらに、前記連結部は、前記軸部の軸中心からの径の長さが異なる複数の円弧部及び当該円弧部の接続箇所に形成された段差部を有しており、前記段差部が前記取付部に当接することで前記連結部の弾性変形に伴う前記テンプルの回動が停止するように設定されている。
【発明の効果】
【０００９】
本発明は、上記のような構成を有することで、テンプルを安定して回動させるための強度を備えるとともに良好な操作性及び装着感を得ることができる。
【図面の簡単な説明】
【００１０】
【図１】本発明に係る眼鏡用蝶番を備えた眼鏡フレームに関する平面図及び正面図である。
【図２】蝶番に関する分解斜視図である。
【図３】回動部材に関する平面図である。
【図４】テンプルを開閉動作する場合の蝶番に関する動作説明図である。
【図５】蝶番の変形例に関する眼鏡フレームの平面図である。
【発明を実施するための形態】
【００１１】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、本発明に係る眼鏡用蝶番を備えた眼鏡フレームに関する平面図（図１（ａ））及び正面図（図１（ｂ））である。眼鏡フレームは、一対のレンズＬの間に配置されてレンズＬを連結保持するレンズ保持部材１と、レンズＬのレンズ保持部材１とは反対側に配置されてレンズＬを保持する一対のレンズ保持部材２と、レンズ保持部材２とテンプル４とを連結する蝶番３と、蝶番３によりレンズ保持部材２に回動可能に連結された一対のテンプル４と、テンプル４の蝶番３とは反対側に装着されたモダン５とを備えている。
【００１３】
レンズ保持部材１は、レンズＬの間の上側中央部分に配置されており、両端部がＬ字状に曲げられてレンズＬに形成された貫通孔に挿入されている。そして、貫通孔に挿入された突出した部分にレンズＬを固定する固定部材１ａを取り付けて、レンズＬを保持するようになっている。固定部材１ａとしては、例えば、レンズ保持部材１の挿入される端部に予めネジ山を形成しておき、形成されたネジ山にナット等を螺着して固定するようにすればよい。また、レンズ保持部材１には、一対の鼻パッド６が取り付けられている。鼻パッド６は、金属製の線材からなる支持部材６ａの下端部に固定されており、支持部材６ａの上端部はレンズ保持部材１に固定されている。
【００１４】
レンズ保持部材２は、レンズＬのレンズ保持部材１とは反対側の外側に配置されており、レンズＬ側の端部がＬ字状に曲げられてレンズＬに形成された貫通孔に挿入されている。そして、貫通孔に挿入された突出した部分にレンズＬを固定する固定部材２ａを取り付けて、レンズＬを保持するようになっている。固定部材２ａとしては、固定部材１ａと同様のものを用いることができる。レンズ保持部材２のテンプル４側の端部には、取付部材２０が固定されており、取付部材２０には蝶番３の回動部材３０が回動可能に軸支されている。
【００１５】
蝶番３は、回動部材３０、取付部材２０とテンプル４とを回動部材３０とともに連結する連結部材であるネジ３１、及び、回動部材３０とテンプル４の端部を連結する連結部材であるネジ３２を備えている。後述するように、回動部材３０は渦巻き状に形成されており、中心側の端部をネジ３１により取付部材２０及びテンプル４と回動可能に連結され、外周側の端部をネジ３２によりテンプル４の端部に連結固定されている。
【００１６】
テンプル４は、細幅の金属製線材からなり、線材の蝶番３とは反対側に樹脂製のモダン５が装着固定されている。そして、テンプル４は、蝶番３のネジ３１を回動中心として回動可能に連結されている。
【００１７】
図２は、蝶番３に関する分解斜視図である。レンズ保持部材２に固定された取付部材２０のテンプル４側には、端部から上下に二股になるように切欠き部２１が形成されている。切欠き部２１は、長手方向に所定の間隙が空くように形成されており、回動部材３０及び後述するテンプル４の端部に突設されたコマ４１が回動可能に収容されるようになっている。取付部材２０の二股部分の先端部には、それぞれ上側コマ２２及び下側コマ２３が形成されており、下側コマ２３の近傍にはネジ穴２４が切欠き部２１に貫通するように穿設されている。
【００１８】
テンプル４の取付部材２０側の端部には、取付部４０が突設されており、取付部４０は、テンプル４の下側を半分程度削除して薄い板状に形成されている。取付部４０の先端にはコマ４１が形成されており、コマ４１の近傍には貫通穴４２が穿設されている。
【００１９】
図３は、回動部材３０に関する平面図である。回動部材３０は、金属製の薄板をレーザカッティング加工等の切断加工により細幅の渦巻き状に成形加工されている。渦巻き状の中心側の端部には、略円形状に形成された軸部３０ａが設けられており、軸部３０ａの中心部に円形の軸穴３０ｂが穿設されている。また、渦巻き状の外周側の端部には、略円形状に形成された取付部３０ｃが設けられており、取付部３０ｃの中心部にネジ穴３０ｄが穿設されている。そして、軸部３０ａ及び取付部３０ｃは、細幅で渦巻き状の連結部３０ｅにより連結一体化されている。
【００２０】
連結部３０ｅは、軸部３０ａの周囲を全周にわたって取り囲むように形成されており、その形状は、軸部３０ａの軸中心からの径が順次長くなる３つの円弧部と円弧部の接続箇所に形成された段差部３０ｆ及び３０ｇとを有している。段差部３０ｇは、後述するように、取付部３０ｃと当接してテンプル４の回動を停止するストッパとして機能する。そして、連結部３０ｅの中心側の端部には軸部３０ａが接続され、外周側の端部には取付部３０ｃが接続されている。
【００２１】
この例では、３つの異なる径の円弧部で連結部３０ｅを構成しているが、眼鏡フレームに合わせて回動部材のサイズを小さくする場合や連結部の長さを短くしたい場合には、２つの異なる径の円弧部で構成することでサイズを小さくすることができる。また、連結部の長さの外に幅や厚さを調整することで連結部の弾性特性を適宜変更することが可能となる。このように、眼鏡フレームのデザインや特性に合わせて連結部３０ｅの形状を変更することで、容易に調整可能できめ細かく対応することができる。上述した例では、連結部の形状を複数の円弧部で構成しているが、螺旋状に連続する形状に形成してもよく、テンプル４の回動方向に対して弾性変形する形状であれば特に限定されない。
【００２２】
また、軸部３０ａの取付部３０ｃとは反対側に係止部３０ｈが径方向に突設されている。係止部３０ｈは、後述するようにネジ３３と係合して軸部３０ａの回動を停止するストッパとして機能する。また、軸部３０ａに対して連結部３０ｅが接続される部分には膨出部３０ｉが径方向に突出するように形成されている。膨出部３０ｉは、後述するように、テンプル４が折り畳まれた際にネジ３３に圧接して折り畳み状態を保持するように機能する。
【００２３】
蝶番３を組み立てる場合には、取付部材２０の切欠き部２１にテンプル４の取付部４０及び回動部材３０を重ね合せて取付部４０が上側になるようにして挿し込む。その際に、取付部４０のコマ４１の貫通穴及び回動部材３０の軸穴３０ｂが一致するように設定するとともにコマ２２及び２３の貫通穴がそれぞれコマ４１の貫通穴及び軸穴３０ｂに一致するように設定する。そして、コマ２２及びコマ４１の間に薄板状のワッシャ３４を挿入し、コマ４１及び回動部材３０の軸部３０ａの間にワッシャ３５を挿入し、軸部３０ａ及びコマ２３の間にワッシャ３６を挿入する。各ワッシャは、中心部に円形の穴が形成されており、それぞれコマの貫通穴及び軸穴３０ｂと位置合せしてセットする。
【００２４】
こうしてコマ２２及び２３の間に取付部４０及び回動部材３０並びに３枚のワッシャをセットして、コマ２２の上方からネジ３１を挿入してコマ２３に螺着し、取付部材２０にテンプル４の取付部４０及び回動部材３０を連結する。コマ２２及び２３とコマ４１及び回動部材３０との間にはワッシャが介在しているため、取付部４０及び回動部材３０は取付部材２０に対して回動可能に連結される。また、回動部材３０を連結した状態で外周側の取付部３０ｃのネジ穴３０ｄを取付部４０の貫通穴４２に位置合せて一致させ、貫通穴４２の上方からネジ３２を挿入してネジ穴３０ｄに螺着する。ネジ３２をネジ穴３０ｄに螺着することで、回動部材３０及びテンプル４が一体となって軸部３０ａを中心に回動するようになる。取付部材２０のネジ穴２４には、下方からネジ３３が螺着されており、ネジ３３の先端部は切欠き部２１内に突出するように設定されている。そして、ネジ３３の突出した先端部は、回動部材３０の係止部３０ｈと係合して軸部３０ａの回動を停止させる係合部として機能する。
【００２５】
図４は、テンプル４を開閉動作する場合の蝶番３に関する動作説明図である。テンプル４が開いた状態（図４（ａ））では、テンプル４の長手方向が取付部材２０の長手方向とほぼ一致するようになる。この状態では、取付部材２０に設けられたネジ３３とネジ３１及び３２がテンプル４の長手方向にほぼ沿うように配列されており、テンプル４とともに回動する回動部材３０の係止部３０ｈがネジ３３の先端部に係合することで、軸部３０ａは所定の回動位置に停止した状態となる。軸部３０ａの回動が停止されることで回動部材３０の回動が停止し、軸部３０ａ及び取付部３０ｃにおいて回動部材３０に連結されたテンプル４も停止状態となる。
【００２６】
また、テンプル４を閉じる方向に回動させて折り畳んだ状態（図４（ｂ））では、テンプル４の長手方向が取付部材２０の長手方向とほぼ直交するようになる。この状態では、テンプル４が回動部材３０とともに反時計回りに回動して、回動部材３０の係止部３０ｈはネジ３３の先端部から離間した状態となるが、ネジ３３の先端部が回動部材３０の軸部３０ａの周面を沿うように摺動していくため、テンプル４の開閉動作を安定して行うことができる。また、軸部３０ａの周面に膨出部３０ｉを形成しておくことで、膨出部３０ｉにネジ３３の先端部が圧接してテンプル４が折り畳まれた状態で保持されるようになる。
【００２７】
テンプル４を図４（ａ）に示す開いた状態からさらに開く方向に回動させた場合（図４（ｃ））、係止部３０ｈがネジ３３と係合しているため回動部材３０の中心側の軸部３０ａは回動せずに停止した状態となっているが、テンプル４の開く方向への回動動作により回動部材３０の外周側の取付部３０ｃが回動方向に引張られるようになる。取付部３０ｃに加えられた引張力により細幅の連結部３０ｅが中心側に向かって引き込まれるように弾性変形するようになり、テンプル４をさらに回動することができる。そして、取付部３０ｃが連結部３０ｅの段差部３０ｇに当接することで、テンプル４の回動動作が停止する。
【００２８】
こうして、渦巻き状の連結部３０ｅの弾性変形によりテンプル４をある程度開くことが可能となり、眼鏡フレームを着用した状態では、テンプル４に回動部材３０の変形による弾性力が作用するようになって、安定した状態で眼鏡フレームが装着される。また、渦巻き状の連結部３０ｅの弾性変形により柔らかいタッチで圧迫感のない良好な装着感を得ることができる。回動部材３０の弾性特性は、連結部３０ｅの厚さ、幅及び長さ等の形状を適宜設定することで最適のものに調整することが容易で、眼鏡フレームに合わせてきめ細かく設計することができる。そして、回動部材３０は、薄板から成形加工されているため、蝶番３に用いた場合でもコイルバネのようにスペースを取ることなく蝶番をコンパクトに構成することができる。
【００２９】
図５は、蝶番の変形例に関する眼鏡フレームの平面図である。この例では、取付部材２０に回動部材３０を覆うようにカバー体３７を装着している。カバー体３７は、平面視で回動部材３０の外周とほぼ同じ円形状に形成されており、中心部に穿設された取付穴にネジ３１を挿し込んで取付部材２０に固定されている。カバー体３７を装着することで、回動部材３０に衣服等が不用意に引っ掛かるのを防止することが可能となる。
【００３０】
上述した例では、レンズ保持部材は、レンズを両側で保持するツーポイントタイプであるが、これ以外のタイプのレンズ保持部材を使用することもできる。例えば、レンズの上部のみにレンズ枠体を嵌め込むナイロールタイプやレンズの全周をレンズ枠体で囲むフルリムタイプでもよい。
【符号の説明】
【００３１】
１・・・レンズ保持部材、２・・・レンズ保持部材、２０・・・取付部材、２１・・・切欠き部、２２，２３・・・コマ、２４・・・ネジ穴、３・・・蝶番、３０・・・回動部材、３０ａ・・・軸部、３０ｂ・・・軸穴、３０ｃ・・・取付部、３０ｄ・・・ネジ穴、３０ｅ・・・連結部、３０ｆ・・・段差部、３０ｇ・・・段差部、３０ｈ・・・係止部、３０ｉ・・・膨出部、３１・・・ネジ、３２・・・ネジ、３３・・・ネジ、３４〜３６・・・ワッシャ、３７・・・カバー体、４・・・テンプル、４０・・・取付部、４１・・・コマ、４２・・・貫通穴、５・・・モダン、６・・・鼻パッド
【図１】
2014092639.tif 000003
【図２】
2014092639.tif 000004
【図３】
2014092639.tif 000005
【図４】
2014092639.tif 000006
【図５】
2014092639.tif 000007